(57)【特許請求の範囲】
【請求項１】
建築物の室内へ光を照射する光照射装置であって、
前記建築物の外部から太陽光を採光する採光部と、
前記採光部を介して採光された太陽光を前記室内に放光する放光部と、
太陽光を前記採光部から前記放光部へ導光する導光手段とを備え、
前記導光手段は、
鉛直方向に延在する鉛直壁部と、
前記鉛直壁部の外面に設けられた第１の反射部と、
前記鉛直壁部の外側に配置され、前記鉛直壁部との間に、前記鉛直壁部との間の間隙距離が鉛直方向上側に向かって連続的または段階的に漸増する空間を形成する非鉛直壁部と、
前記非鉛直壁部の内面に設けられた第２の反射部とを有し、
前記非鉛直壁部は、前記室の床の位置から天井を越える位置まで、連続して設けられていることを特徴とする光照射装置。
【請求項２】
前記非鉛直壁部は、鉛直方向に対して傾斜している請求項１に記載の光照射装置。
【請求項３】
前記非鉛直壁部は、外側が凸となるように湾曲している請求項１に記載の光照射装置。
【請求項４】
前記非鉛直壁部は、複数の段差部を有している請求項１に記載の光照射装置。
【請求項５】
前記放光部は、前記鉛直壁部の高さ方向の異なる位置に複数設けられており、
前記高い位置に設けられている放光部で放光された残りの太陽光が、前記第１の反射部および／または前記第２の反射部で少なくとも１回反射して、前記低い位置に設けられている放光部から放光されるよう構成されている請求項１ないし４のいずれかに記載の光照射装置。
【請求項６】
前記空間は、前記建築物の内壁空洞を兼ねる請求項１ないし５のいずれかに記載の光照射装置。
【請求項７】
前記鉛直壁部は、前記室および前記内壁空洞を画成する部材を兼ねる請求項６に記載の光照射装置。
【請求項８】
前記鉛直壁部は、前記室を画成する部材を兼ねる請求項１ないし６のいずれかに記載の光照射装置。
【請求項９】
前記建築物は、内壁空洞を有し、
前記鉛直壁部は、前記室を画成する部材の外側に配置され、前記内壁空洞を画成する部材を兼ねる請求項１ないし５のいずれかに記載の光照射装置。
【請求項１０】
前記放光部は、間接照明として機能するよう構成されている請求項１ないし９のいずれかに記載の光照射装置。
【請求項１１】
前記非鉛直壁部は、前記室の床の位置から前記建築物の屋根部の位置まで、連続して設けられている請求項１ないし１０のいずれかに記載の光照射装置。
【請求項１２】
採光部は、前記建築物の屋根部に設けられ、
前記導光手段は、前記鉛直壁部、前記第１の反射部、前記非鉛直壁部および前記第２の反射部を有する導光部を、前記建築物の両側部にそれぞれ備え、
前記採光部を介して採光された太陽光は、分割されて、前記各導光部によりそれぞれ導光されるよう構成されている請求項１ないし１１のいずれかに記載の光照射装置。
【発明の詳細な説明】
【技術分野】
【０００１】
本発明は、光照射装置に関するものである。
【背景技術】
【０００２】
従来、建築物として、例えば、屋根の下方に形成される躯体内空間である小屋空間と、床の下方に形成される躯体内空間である床下空間とが、内壁空洞（内壁空間）を介して連通している住宅において、所定箇所にファン等の送気装置を設置し、その送気装置により、小屋空間、内壁空洞および床下空間に空気を循環させるエアサイクル住宅が知られている（例えば、特許文献１参照）。また、前記送気装置を用いないエアサイクル住宅も存在する。
【０００３】
また、このようなエアサイクル住宅において、太陽光（自然光）を採光する太陽光採光開口部を、屋根に設け、前記太陽光採光開口部を介して採光された太陽光を導光する反射板を、外壁部と内壁部との間に形成されている内壁空洞に設け、前記反射板により導光された太陽光を室内に放光する放光部を、その室に設けてなる光照射装置が提案されている（例えば、特許文献２参照）。
【０００４】
しかしながら、前記光照射装置のような太陽光を導光するシステムを構築する場合、前記反射板が設けられる内壁空洞の幅（外壁部と内壁部との間の間隙距離）を広くする必要があり（具体的には、３００ｍｍ〜１０００ｍｍ程度必要とする）、その分、住宅の建築床面積が増大してしまう。
【０００５】
そして、特に、都市部等の狭小地に住宅を建築する場合は、例えば、居住空間を狭くする等の対策を講じなければならず、非常に不利である。
【０００６】
【特許文献１】特開平１０−１３２３０１号公報
【特許文献２】特開２００７−１６５６１号公報
【発明の開示】
【発明が解決しようとする課題】
【０００７】
本発明の目的は、建築物の室内に太陽光を自在に取り入れることができ、かつ小型化を図ることができる光照射装置を提供することにある。
【課題を解決するための手段】
【０００８】
このような目的は、下記（１）〜（１２）の本発明により達成される。
（１）  建築物の室内へ光を照射する光照射装置であって、
前記建築物の外部から太陽光を採光する採光部と、
前記採光部を介して採光された太陽光を前記室内に放光する放光部と、
太陽光を前記採光部から前記放光部へ導光する導光手段とを備え、
前記導光手段は、
鉛直方向に延在する鉛直壁部と、
前記鉛直壁部の外面に設けられた第１の反射部と、
前記鉛直壁部の外側に配置され、前記鉛直壁部との間に、前記鉛直壁部との間の間隙距離が鉛直方向上側に向かって連続的または段階的に漸増する空間を形成する非鉛直壁部と、
前記非鉛直壁部の内面に設けられた第２の反射部とを有し、
前記非鉛直壁部は、前記室の床の位置から天井を越える位置まで、連続して設けられていることを特徴とする光照射装置。
【０００９】
（２）  前記非鉛直壁部は、鉛直方向に対して傾斜している上記（１）に記載の光照射装置。
【００１０】
（３）  前記非鉛直壁部は、外側が凸となるように湾曲している上記（１）に記載の光照射装置。
【００１１】
（４）  前記非鉛直壁部は、複数の段差部を有している上記（１）に記載の光照射装置。
【００１２】
（５）  前記放光部は、前記鉛直壁部の高さ方向の異なる位置に複数設けられており、
前記高い位置に設けられている放光部で放光された残りの太陽光が、前記第１の反射部および／または前記第２の反射部で少なくとも１回反射して、前記低い位置に設けられている放光部から放光されるよう構成されている上記（１）ないし（４）のいずれかに記載の光照射装置。
【００１３】
（６）  前記空間は、前記建築物の内壁空洞を兼ねる上記（１）ないし（５）のいずれかに記載の光照射装置。
【００１４】
（７）  前記鉛直壁部は、前記室および前記内壁空洞を画成する部材を兼ねる上記（６）に記載の光照射装置。
【００１５】
（８）  前記鉛直壁部は、前記室を画成する部材を兼ねる上記（１）ないし（６）のいずれかに記載の光照射装置。
【００１６】
（９）  前記建築物は、内壁空洞を有し、
前記鉛直壁部は、前記室を画成する部材の外側に配置され、前記内壁空洞を画成する部材を兼ねる上記（１）ないし（５）のいずれかに記載の光照射装置。
【００１７】
（１０）  前記放光部は、間接照明として機能するよう構成されている上記（１）ないし（９）のいずれかに記載の光照射装置。
（１１）  前記非鉛直壁部は、前記室の床の位置から前記建築物の屋根部の位置まで、連続して設けられている上記（１）ないし（１０）のいずれかに記載の光照射装置。
（１２）  採光部は、前記建築物の屋根部に設けられ、
前記導光手段は、前記鉛直壁部、前記第１の反射部、前記非鉛直壁部および前記第２の反射部を有する導光部を、前記建築物の両側部にそれぞれ備え、
前記採光部を介して採光された太陽光は、分割されて、前記各導光部によりそれぞれ導光されるよう構成されている上記（１）ないし（１１）のいずれかに記載の光照射装置。
【発明の効果】
【００１８】
本発明によれば、太陽光を自在に建築物（例えば、住宅等）の室内に取り込むことができる。
【００１９】
そして、導光手段の非鉛直壁部は、鉛直壁部との間に、その鉛直壁部との間の間隙距離が鉛直方向上側に向かって連続的または段階的に漸増する空間を形成するように設けられているので、建築物に、その建築床面積を増大させることなく、光照射装置を設けることができる。
【００２０】
これにより、例えば、都市部等の狭小地に住宅を建築する場合でも、十分に対応することができ、土地の広さの割には、十分に満足し得る広さの居住空間を確保することができる。
【発明を実施するための最良の形態】
【００２１】
以下、本発明の光照射装置を添付図面に示す好適実施形態に基づいて詳細に説明する。
＜第１実施形態＞
図１は、本発明の光照射装置の第１実施形態が適用された建築物としての住宅の概略構造を示す断面図である。
【００２２】
なお、説明の都合上、図１において、上側を「上」、下側を「下」、左側を「左」、右側を「右」として説明する。また、図１中の上下方向が鉛直方向、左右方向が水平方向である。
【００２３】
図１に示すように、住宅（建築物）１０は、１階建てであり、室（部屋）３１、図示しない他の室、図示しない玄関、図示しない廊下等を画成する躯体２０を有している。また、住宅１０は、例えば、木造、２×４造、パネル造、鉄骨造、鉄筋コンクリート造、または、これらのうちの２種以上を組み合わせたもの等、種々のものであってよい。なお、室３１および図示しない室は、それぞれ、居間や寝室に限らず、この他、例えば、キッチン、浴室、トイレ等、種々の居住空間であってよい。
【００２４】
躯体２０は、屋根部（屋根）２１と、屋根部２１の内面に積層された断熱材２３と、外方（側方）に位置する傾斜壁部（外壁部）２２と、傾斜壁部２２の内面に積層された断熱材２３と、基礎（基台部）２４と、下方に設けられた断熱材２３と、室３１を画成する内壁部２５１、天井２５２および床２５３とを有している。
【００２５】
この場合、左側の傾斜壁部２２および右側の傾斜壁部２２は、それぞれ、後述する導光手段７の非鉛直壁部であり、板状をなし、鉛直方向に対して傾斜している（傾斜壁部２２の上側が下側よりも外側に位置している）。また、左側の傾斜壁部２２の上端部は、屋根部２１の左側の端部に接合し、右側の傾斜壁部２２の上端部は、屋根部２１の右側の端部に接合している。
【００２６】
また、左側の内壁部２５１および右側の内壁部２５１は、それぞれ、後述する導光手段７の鉛直壁部であり、板状をなし、鉛直方向に延在している。
【００２７】
また、屋根部２１は、水平直方向に対して傾斜している（屋根部２１の左側が右側よりも上側に位置している）。この屋根部２１の形状は、図示の形状に限定されず、この他、例えば、切妻形状、寄棟形状等であってもよい。
【００２８】
なお、躯体２０（住宅１０）の図１の紙面の手前側および奥側については、その図示および説明は省略する。
【００２９】
また、躯体２０の内部には、躯体内空間４０が形成されている。この躯体内空間４０は、図示の構成では、２つに分離されており、一方は、屋根裏空間（小屋空間）４１および内壁空洞（内壁空間）４３、４４で構成され、他方は、床下空間４２で構成されている。すなわち、一方の躯体内空間４０は、屋根裏空間４１および内壁空洞４３、４４が連通して形成される一続きの空間（連通空間）である。
【００３０】
屋根裏空間４１は、屋根部２１の下方に形成される空間、すなわち、屋根部２１と、室３１の天井２５２との間に形成される空間である。
【００３１】
また、床下空間４２は、室３１の床２５３の下方に形成される空間である。
また、内壁空洞４３は、左側の傾斜壁部２２と、室３１の左側の内壁部２５１との間に上下方向（鉛直方向）に沿って形成される空間、また、内壁空洞４４は、右側の傾斜壁部２２と、室３１の右側の内壁部２５１との間に上下方向に沿って形成される空間である。なお、左側の内壁部２５１は、室３１および内壁空洞４３を画成する部材を兼ねており、また、右側の内壁部２５１は、室３１および内壁空洞４４を画成する部材を兼ねている。
【００３２】
なお、床下空間４２と内壁空洞４３、４４とが連通していてもよく、この場合は、躯体内空間４０は、屋根裏空間４１、床下空間４２および内壁空洞４３、４４が連通して形成される一続きの空間となる。
【００３３】
さて、この住宅１０には、室３１内（居住空間）に太陽光（自然光）を照射する（取り込む）光照射装置１が設けられている。以下、太陽光を、単に、「光」とも言う。
【００３４】
光照射装置１は、住宅１０の外部から太陽光を採光する採光部５１と、採光部５１を介して採光された太陽光を室３１内に放光（照射）する４つ（複数）の放光部６１〜６４と、太陽光を採光部５１から各放光部６１〜６４へ導光する導光手段７とを備えている。
【００３５】
採光部５１は、屋根部２１に設けられており、この採光部５１を介して太陽光が屋根裏空間４１（躯体内空間４０）、すなわち、光照射装置１に採り入れられる。具体的には、屋根部２１には、開口が形成されており、採光部５１は、その開口に嵌め込まれている（開口を塞ぐように設置されている）。
【００３６】
採光部５１は、本実施形態では、光透過性を有する板体（光透過部材）で構成されている。また、採光部５１の構成材料としては、それぞれ、例えば、各種ガラスや各種樹脂等を用いることができる。
【００３７】
また、採光部５１は、太陽光の直射を長時間受けることができる位置、例えば、南側に面する位置に配設されているのが好ましい。
【００３８】
また、採光部５１の外側には、採光部５１を介して採光される太陽光の光量を調整する光量調整手段として、採光部５１の太陽光の採り入れ口（窓部）を開閉する図示しないシャッタが設けられている。シャッタは、図示しない駆動機構を有し、その駆動機構により駆動されて開閉するようになっている。また、シャッタは、そのシャッタが開いているときに採光部５１を介して採光される太陽光の光量を１００％としたとき、シャッタが閉じているときでも、採光部５１を介して採光される太陽光の光量が０％とならないように（完全には遮光されないように）構成されている。なお、シャッタが閉じているとき、採光部５１を介して採光される太陽光の光量が略０％となるように構成することもできる。
【００３９】
なお、前記シャッタは、採光部５１の外側に限らず、採光部５１の内側（躯体内空間４０）に設けられていてもよい。
【００４０】
また、採光部５１として、ペアガラスの間に、ルーバー（光量調整手段）が設けられているものを用いてもよい。この場合は、例えば、夏は、ルーバーにより太陽光が遮光され、冬は、ルーバーにより太陽光が遮光されずに、採光されるように、ルーバーの角度を設定するのが好ましい。また、ルーバーの角度を調整することができるように構成してもよい。
【００４１】
また、採光部の数は、１つに限らず、例えば、２つ以上（複数）でもよい。
各放光部６１〜６４は、それぞれ、室３１に設けられており、各放光部６１〜６４から、それぞれ、導光手段７により導光された太陽光が室３１内に放光（照射）される。
【００４２】
具体的には、室３１の左側の内壁部２５１および後述する反射板７５には、２つの開口が形成されており、放光部６１は、一方の開口に嵌め込まれ（開口を塞ぐように設置され）、放光部６２は、他方の開口に嵌め込まれている。この場合、放光部６１と放光部６２とは、互いに、前記内壁部（鉛直壁部）２５１の高さ方向（鉛直方向）の異なる位置で、かつ水平方向の異なる位置に配置されている（鉛直方向および水平方向の両方にずれている）。
【００４３】
また、室３１の右側の内壁部２５１および後述する反射板７６には、開口が形成されており、放光部６４は、その開口に嵌め込まれている。また、室３１の天井２５２および後述する反射板７４には、開口が形成されており、放光部６３は、その開口に嵌め込まれている。この場合、放光部６３と放光部６４とは、互いに、鉛直方向の異なる位置で、かつ水平方向の異なる位置に配置されている（鉛直方向および水平方向の両方にずれている）。
【００４４】
なお、図１では、判り易くするため、本来見えない放光部を含め、すべての放光部６１〜６４を図示している。
【００４５】
各放光部６１〜６４は、それぞれ、本実施形態では、光透過性を有する部材（光透過部材）と、光を拡散する拡散板等の光学部品とで構成されている。
【００４６】
なお、各放光部６１〜６４は、それぞれ、開口で構成されていてもよい。これにより、放光部（開口）を介して通気（換気）を行うことができる。
【００４７】
また、各放光部６１〜６４は、それぞれ、間接照明として機能するよう構成されていてもよい。この構成例としては、放光部による照明が間接照明となるように、室３１内に、前記放光部を構成する開口から所定距離離間させて、所定の間接照明用部材を設ける。この間接照明用部材としては、例えば、半透明板、遮光板、パンチングメタル等を用いることができる。
【００４８】
また、各放光部６１〜６４の近傍には、それぞれ、その放光部６１〜６４を遮光し得る図示しない遮光手段を設けてもよい。
【００４９】
また、放光部の数は、４つに限らず、例えば、３つ以下でもよく、また、５つ以上でもよい。
【００５０】
導光手段７は、躯体２０（住宅１０）の左側方に設けられた側方導光部７ａと、右側方に設けられた側方導光部７ｃと、上方に設けられた上方導光部７ｂとを有している。
【００５１】
側方導光部７ａは、鉛直壁部である左側の内壁部２５１と、内壁部２５１の外面に設けられた反射板７５と、非鉛直壁部である左側の傾斜壁部２２と、断熱材２３を介して傾斜壁部２２の内面に設けられた反射板７２とを有している。反射板７５の放光部６１および６２に対応する部位には、開口が形成されている。なお、反射板７５の反射面（表面）が第１の反射部を構成し、反射板７２の反射面（表面）が第２の反射部を構成している。
【００５２】
また、側方導光部７ｃは、鉛直壁部である右側の内壁部２５１と、内壁部２５１の外面に設けられた反射板７６と、非鉛直壁部である右側の傾斜壁部２２と、断熱材２３を介して傾斜壁部２２の内面に設けられた反射板７３とを有している。反射板７６の放光部６４に対応する部位には、開口が形成されている。なお、反射板７６の反射面（表面）が第１の反射部を構成し、反射板７３の反射面（表面）が第２の反射部を構成している。
【００５３】
ここで、側方導光部７ａと側方導光部７ｃとは、略同様であるので、以下、代表的に、側方導光部７ａについて説明する。
【００５４】
側方導光部７ａの傾斜壁部２２および内壁部２５１は、それぞれ、板状をなしており、傾斜壁部２２は、内壁部２５１の外側（左側）、すなわち、躯体２０（住宅１０）の最外部に設置（配置）されている。そして、傾斜壁部２２は、内壁部２５１との間に、内壁部２５１との間の間隙距離Ｌ、すなわち、反射板７２と反射板７５との間の間隙距離Ｌ０が鉛直方向上側に向かって連続的に漸増する（連続的に、かつ一定の割合で増大する）空間８１が形成されるように、鉛直方向に対して傾斜している（傾斜壁部２２の上側が下側よりも外側に位置している）。この空間８１は、内壁空洞４３である。なお、側方導光部７ｃ側において、前記空間８１に相当するのは、空間８２であり、その空間８２は、内壁空洞４４である。
【００５５】
前記傾斜壁部２２（反射板７２）の鉛直方向に対する傾斜角度θは、特に限定されないが、５〜４５°程度であるのが好ましく、１０〜２５°程度であるのがより好ましい。
【００５６】
また、上方導光部７ｂは、天井２５２と、天井２５２の外面に設けられた反射板７４と、屋根部２１と、断熱材２３を介して屋根部２１の内面に設けられた反射板７１と、採光部５１の下方の屋根裏空間４１に設置された反射板７７とを有している。反射板７４の放光部６３に対応する部位には、開口が形成されている。なお、反射板７３、７６および７７の反射面（表面）が、それぞれ、反射部を構成している。
【００５７】
前記各反射板７１〜７７としては、それぞれ、反射率の高い反射面を有するものを用いるのが好ましい。具体的には、各反射板７１〜７７の反射面の反射率は、それぞれ、９５％以上であるのが好ましく、９８％以上であるのがより好ましい。また、各反射板７１〜７７の構成材料（反射面の構成材料）としては、それぞれ、例えば、アルミニウムやアルミニウム系合金等の金属材料を用いることができる。
【００５８】
また、前記各反射板７１〜７７として、それぞれ、例えば、反射型シートを用いてもよい。
【００５９】
また、前記各反射板７１〜７７の反射面は、それぞれ、光が乱反射するように構成されていてもよい。
【００６０】
次に、光照射装置１の作用を説明する。
なお、図１では、判り易くするため、太陽光のうちの所定の主光線のみを図示し、それに基づいて下記の説明を行う。
【００６１】
太陽光は、採光部５１を介して、住宅１０内、すなわち、躯体内空間４０の屋根裏空間４１に採光される。
【００６２】
そして、採光された太陽光は、反射板７１〜７７のうちの所定の反射板で、次々と反射し、各放光部６１〜６４に導光され、各放光部６１〜６４から室３１内に放光され、室３１内が照明される。
【００６３】
具体的には、採光部５１を介して採光された太陽光は、反射板７２で反射し、放光部６１から室３１内に放光される。また、反射板７２で反射した太陽光は、反射板７５のうち、放光部６１の図１の紙面の奥側の部分で反射する。この放光部６１で放光された残りの太陽光は、反射板７２および７５を次々と反射し、放光部６２から室３１内に放光される。
【００６４】
また、採光部５１を介して採光された太陽光は、反射板７７で反射し、放光部６３から室３１内に放光される。また、反射板７７で反射した太陽光は、反射板７４のうち、放光部６３の図１の紙面の奥側の部分で反射する。この放光部６３で放光された残りの太陽光は、反射板７１、７３および７６を次々と反射し、放光部６４から室３１内に放光される。
【００６５】
以上説明したように、この光照射装置１によれば、採光部５１と室３１との位置にかかわらず、太陽光を自在にその室３１内（居住空間）に取り込むことができる。また、４つの放光部６１〜６４が異なる位置に設けられているので、多くの自然光を室３１内全体に取り込むことができる。
【００６６】
そして、導光手段７の傾斜壁部２２は、内壁部２５１との間に、反射板７２と反射板７５との間の間隙距離Ｌ０（傾斜壁部２２と内壁部２５１との間の間隙距離Ｌ）が鉛直方向上側に向かって連続的に漸増する空間を形成するように設けられているので、住宅１０に、その建築床面積を増大させることなく、光照射装置１を設けることができる。
【００６７】
これにより、例えば、都市部等の狭小地に住宅１０を建築する場合でも、十分に対応することができ、土地の広さの割には、十分に満足し得る広さの居住空間を確保することができる。
【００６８】
また、太陽光が躯体内空間４０において導光されることにより、躯体２０内が暖められ、これにより、室３１内を暖めることができる。
【００６９】
なお、本実施形態では、断熱材２３は、外側、すなわち、屋根部２１および傾斜壁部２２に設けられ、部屋３１の周囲（内側）、すなわち、内壁部２５１および天井２５２には設けられていないが、本発明では、これに限らず、断熱材は、例えば、部屋の周囲に設けられ、外側には設けられていなくてもよく、また、部屋および外側の両方に設けられていてもよく、また、省略されていてもよい。
【００７０】
また、本実施形態では、採光部５１は、天窓であるが、本発明では、これに限らず、採光部は、例えば、高窓等であってもよい。すなわち、採光部の位置は、屋根部に限定されるものではない。
【００７１】
また、所定箇所に、通気（換気）を行う通気部（換気部）を設けてもよい。例えば、傾斜壁部２２および反射板７２に、通気部として、外部と空間８１とを連通する貫通孔を設けたり、また、傾斜壁部２２および反射板７３に、通気部として、外部と空間８２とを連通する貫通孔を設けてもよい。これにより、換気を行うことができ、また、容易に、空気を循環させることができる。
【００７２】
また、躯体内空間の所定箇所に、太陽光を受光して熱を吸収する吸熱部（放熱部）を設け、吸熱部が導光手段により導光された太陽光を受光して熱を吸収することにより、吸熱部の周囲の空気の温度が上昇して上昇気流が発生し、これにより空気が循環する（流れる）よう構成してもよい。この場合は、所定箇所に、通気部（換気部）を設けるのが好ましい。
【００７３】
また、送気装置（送気手段）を設け、この送気装置を作動させて、通気（換気）を行うように構成してもよい。
【００７４】
＜第２実施形態＞
図２は、本発明の光照射装置の第２実施形態の主要部を模式的に示す断面図である。なお、説明の都合上、図２において、上側を「上」、下側を「下」、左側を「左」、右側を「右」として説明する。また、図２中の上下方向が鉛直方向、左右方向が水平方向である。
【００７５】
以下、本発明の光照射装置の第２実施形態について説明するが、前述した第１実施形態との相違点を中心に説明し、同様の事項はその説明を省略する。
【００７６】
図２に示すように、第２実施形態の光照射装置１では、導光手段７の非鉛直壁部は、外側が凸となるように湾曲した湾曲壁部（外壁）２７で構成されている。このため、湾曲壁部２７と内壁部２５１との間の間隙距離Ｌ（反射板７２と反射板７５との間の間隙距離Ｌ０）の増大する割合（変化率）は、一定ではなく、鉛直方向上側に向かって漸減している。これにより、湾曲壁部２７で太陽光を集光させることができる（レンズ効果が得られる）。
【００７７】
この光照射装置１によれば、前述した第１実施形態と同様の効果が得られる。
なお、この第２実施形態は、後述する第４実施形態および第５実施形態に、それぞれ、適用することができる。
【００７８】
＜第３実施形態＞
図３は、本発明の光照射装置の第３実施形態の主要部を模式的に示す断面図である。なお、説明の都合上、図３において、上側を「上」、下側を「下」、左側を「左」、右側を「右」として説明する。また、図２中の上下方向が鉛直方向、左右方向が水平方向である。
【００７９】
以下、本発明の光照射装置の第３実施形態について説明するが、前述した第１実施形態との相違点を中心に説明し、同様の事項はその説明を省略する。
【００８０】
図３に示すように、第３実施形態の光照射装置１では、導光手段７の非鉛直壁部は、複数の段差部を有する多段壁部（外壁）２８で構成されている。このため、多段壁部２８と内壁部２５１との間の間隙距離Ｌ（反射板７２と反射板７５との間の間隙距離Ｌ０）は、鉛直方向上側に向かって段階的に漸増している。
【００８１】
この光照射装置１によれば、前述した第１実施形態と同様の効果が得られる。
なお、この第３実施形態は、後述する第４実施形態および第５実施形態に、それぞれ、適用することができる。
【００８２】
＜第４実施形態＞
図４は、本発明の光照射装置の第４実施形態が適用された建築物としての住宅の概略構造を示す断面図である。なお、説明の都合上、図４において、上側を「上」、下側を「下」、左側を「左」、右側を「右」として説明する。また、図４中の上下方向が鉛直方向、左右方向が水平方向である。
【００８３】
以下、本発明の光照射装置の第４実施形態について説明するが、前述した第１実施形態との相違点を中心に説明し、同様の事項はその説明を省略する。
【００８４】
図４に示すように、住宅（建築物）１０は、１階建てであり、室（部屋）３１、３２、図示しない他の室、図示しない玄関、図示しない廊下等を画成する躯体２０を有している。
【００８５】
躯体２０は、屋根部２１と、屋根部２１の内面に積層された断熱材２３と、外方（側方）に位置する傾斜壁部（外壁部）２２と、傾斜壁部２２の内面に積層された断熱材２３と、基礎２４と、下方に設けられた断熱材２３と、室３１を画成する内壁部２５１、天井２５２および床２５３と、室３２を画成する内壁部２６１、天井２６２および床２６３とを有している。
【００８６】
また、室３１および３２の周囲には、反射板７４、７５および７６が設置されている。すなわち、反射板７５は、室３１を画成する左側の内壁部２５１の外側に配置され、また、反射板７６は、室３２を画成する右側の内壁部２６１の外側に配置され、また、反射板７４は、室３１を画成する天井２５２および室３２を画成する天井２６２の外側に配置されている。これにより、室３１および３２の周囲に、空間が形成されている。この場合、反射板７５の反射面（表面）が第１の反射部を構成し、その残部が、鉛直壁部を構成している。また、反射板７６の反射面（表面）が第２の反射部を構成し、その残部が、鉛直壁部を構成している。また、反射板７４の反射面（表面）が反射部を構成している。
【００８７】
また、躯体内空間４０は、図示の構成では、２つに分離されており、一方は、屋根裏空間４１、空間８１および８２で構成され、他方は、床下空間４２、内壁空洞４３、４４、４５および天井裏空間４６で構成されている。すなわち、一方の躯体内空間４０は、屋根裏空間４１、空間８１および８２が連通して形成される一続きの空間であり、他方の躯体内空間４０は、床下空間４２、内壁空洞４３、４４、４５および天井裏空間４６が連通して形成される一続きの空間である。
【００８８】
なお、反射板７５は、内壁空洞４３を画成する部材を兼ねており、また、反射板７６は、内壁空洞４４を画成する部材を兼ねている。
【００８９】
また、反射板７５には、２つの開口が形成されており、放光部６１ａは、一方の開口に嵌め込まれ、放光部６２ａは、他方の開口に嵌め込まれており、また、室３１の左側の内壁部２５１には、２つの開口が形成され、放光部６１ｂは、一方の開口に嵌め込まれ、放光部６２ｂは、他方の開口に嵌め込まれている。
【００９０】
また、反射板７６には、開口が形成されており、放光部６４ａは、その開口に嵌め込まれており、また、室３２の右側の内壁部２５１には、開口が形成されており、放光部６４ｂは、その開口に嵌め込まれている。
【００９１】
また、反射板７４には、開口が形成されており、放光部６３ａは、その開口に嵌め込まれており、また、室３２の天井２５２には、開口が形成されており、放光部６３ｂは、その開口に嵌め込まれている。
【００９２】
この光照射装置１では、採光部５１を介して採光された太陽光は、反射板７２で反射し、放光部６１ａおよび６１ｂから室３１内に放光される。また、反射板７２で反射した太陽光は、反射板７５のうち、放光部６１ａの図４の紙面の奥側の部分で反射する。この放光部６１ａおよび６１ｂで放光された残りの太陽光は、反射板７２および７５を次々と反射し、放光部６２ａおよび６２ｂから室３１内に放光される。
【００９３】
また、採光部５１を介して採光された太陽光は、反射板７７で反射し、放光部６３ａおよび６３ｂから室３２内に放光される。また、反射板７７で反射した太陽光は、反射板７４のうち、放光部６３ａの図４の紙面の奥側の部分で反射する。この放光部６３ａおよび６３ｂで放光された残りの太陽光は、反射板７１、７３および７６を次々と反射し、放光部６４ａおよび６４ｂから室３２内に放光される。
【００９４】
この光照射装置１によれば、前述した第１実施形態と同様の効果が得られる。
そして、この光照射装置１では、容易に、躯体内空間４０に空気を循環させることができる。
【００９５】
＜第５実施形態＞
図５は、本発明の光照射装置の第５実施形態が適用された建築物としての住宅の概略構造を示す断面図である。なお、説明の都合上、図５において、上側を「上」、下側を「下」、左側を「左」、右側を「右」として説明する。また、図５中の上下方向が鉛直方向、左右方向が水平方向である。
【００９６】
以下、本発明の光照射装置の第５実施形態について説明するが、前述した第１実施形態との相違点を中心に説明し、同様の事項はその説明を省略する。
【００９７】
図５に示すように、住宅（建築物）１０は、１階建てであり、室（部屋）３１、３２、図示しない他の室、図示しない玄関、図示しない廊下等を画成する躯体２０を有している。
【００９８】
躯体２０は、屋根部２１と、屋根部２１の内面に積層された断熱材２３と、外方（側方）に位置する傾斜壁部（外壁部）２２と、傾斜壁部２２の内面に積層された断熱材２３と、基礎２４と、下方に設けられた断熱材２３と、室３１を画成する内壁部２５１、天井２５２および床２５３と、室３２を画成する内壁部２６１、天井２６２および床２６３とを有している。
【００９９】
また、室３１および３２の周囲には、柱や梁等の部材９（図５中破線で示されている）が設置されている。なお、この柱や梁等の部材９に壁を設けると、前述した第４実施形態のように、室３１および３２の周囲に空間が形成されるが、本実施形態では、そのようにはなっていない。
【０１００】
また、室３１の左側の内壁部２５１の外面には、反射板７５が設けられ、また、天井２５２の外面には、反射板７４ａが設けられている。
【０１０１】
また、室３２の右側の内壁部２６１の外面には、反射板７６が設けられ、また、天井２６２の外面には、反射板７４ｂが設けられている。
【０１０２】
また、躯体内空間４０は、屋根裏空間４１、床下空間４２および内壁空洞４３、４４、４５で構成されている。すなわち、躯体内空間４０は、屋根裏空間４１、床下空間４２および内壁空洞４３、４４、４５が連通して形成される一続きの空間である。
【０１０３】
また、放光部６１は、間接照明および通気部（換気部）として機能するよう構成されている。すなわち、放光部６１は、反射板７５に形成されている開口６１１と、内壁部２５１における開口６１１に対応する位置に形成されている開口６１２と、室３１内の開口６１１および６１２の近傍に位置する間接照明用部材６１３と、間接照明用部材６１３を支持する支持部６１４とで構成されている。間接照明用部材６１３は、開口６１１および６１２から所定距離離間するように、支持部６１４により内壁部２５１に取り付けられている（固定されている）。間接照明用部材６１３としては、例えば、半透明板、遮光板、パンチングメタル等を用いることができる。
【０１０４】
この光照射装置１では、採光部５１を介して採光された太陽光は、反射板７２で反射し、放光部６１の開口６１１および６１２から室３１内に取り込まれ、間接照明用部材６１３により間接照明光となって放光される。
【０１０５】
また、反射板７２で反射した太陽光は、反射板７５のうち、放光部６１の図５の紙面の奥側の部分で反射する。この放光部６１で放光された残りの太陽光は、反射板７２および７５を次々と反射し、放光部６２から室３１内に放光される。
【０１０６】
また、採光部５１を介して採光された太陽光は、反射板７７で反射し、放光部６３から室３２内に放光される。また、反射板７７で反射した太陽光は、反射板７４ｂのうち、放光部６３の図５の紙面の奥側の部分で反射する。この放光部６３で放光された残りの太陽光は、反射板７１、７３および７６を次々と反射し、放光部６４から室３２内に放光される。
【０１０７】
また、放光部６１の開口６１１および６１２を介して、室３１内の換気がなされる。
この光照射装置１によれば、前述した第１実施形態と同様の効果が得られる。
【０１０８】
そして、この光照射装置１では、容易に、躯体内空間４０に空気を循環させることができる。この構成例を以下簡単に説明する。
【０１０９】
図示しないが、室３１の床２５３の外面（下側）、室３２の床２６３の外面（下側）および下部の断熱材２３の上側に、それぞれ、反射板を設け、また、床下空間４２に、太陽光を受光して熱を吸収する吸熱部（放熱部）を設ける。
【０１１０】
これにより、採光部５１を介して採光された太陽光は、反射板７２および７５や、前記床２５３、２６３および断熱材２３に設けられた反射板を次々と反射し、前記吸熱部に導かれ、同様に、反射板７７、７４ｂ、７１、７３および７６や、前記床２５３、２６３および断熱材２３に設けられた反射板を次々と反射し、前記吸熱部に導光される。そして、前記吸熱部が各反射板（導光手段）により導光された太陽光を受光して熱を吸収することにより、前記吸熱部の周囲の空気の温度が上昇して上昇気流が発生し、これにより空気が循環する（流れる）。すなわち、前記上昇気流により、空気が床下空間４２から内壁空洞４３（空間８１）、内壁空洞４４（空間８２）、内壁空洞４５等を経て、屋根裏空間４１に流れ、その空気は、図示しない内壁空洞や通気層等を経て、再び、床下空間４２に戻る。そして、このような動作が繰り返される。
【０１１１】
この場合は、空間８１および８２は、それぞれ、導光路（導光用の通路）として機能するだけでなく、通気路（通気用の通路）としても機能する。すなわち、光照射装置１の光ダクトの部分は、通気ダクトとしても機能する。
【０１１２】
以上、本発明の光照射装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１１３】
また、本発明は、前記各実施形態のうちの、任意の２以上の構成（特徴）を組み合わせたものであってもよい。
【０１１４】
また、本発明の光照射装置が適用される住宅（建築物）は、１階建てに限らず、例えば、２階建て以上であってもよい。また、例えば、地下室が設けられていてもよい。
【０１１５】
また、本発明の光照射装置が設置される建築物としては、住宅に限定されず、例えば、駅やビル等の公共の施設等が挙げられる。
【図面の簡単な説明】
【０１１６】
【図１】本発明の光照射装置の第１実施形態が適用された建築物としての住宅の概略構造を示す断面図である。
【図２】本発明の光照射装置の第２実施形態の主要部を模式的に示す断面図である。
【図３】本発明の光照射装置の第３実施形態の主要部を模式的に示す断面図である。
【図４】本発明の光照射装置の第４実施形態が適用された建築物としての住宅の概略構造を示す断面図である
【図５】本発明の光照射装置の第５実施形態が適用された建築物としての住宅の概略構造を示す断面図である
【符号の説明】
【０１１７】
１              光照射装置
１０            住宅
２０            躯体
２１            屋根部
２２            傾斜壁部
２３            断熱材
２４            基礎
２５１、２６１  内壁部
２５２、２６２  天井
２５３、２６３  床
２７            湾曲壁部
２８            多段壁部
３１、３２      室
４０            躯体内空間
４１            屋根裏空間
４２            床下空間
４３〜４５      内壁空間
４６            天井裏空間
５１            採光部
６１〜６４      放光部
６１１、６１２  開口
６１３          間接照明用部材
６１４          支持部
６１ａ〜６４ａ  放光部
６１ｂ〜６４ｂ  放光部
７              導光手段
７ａ、７ｃ      側方導光部
７ｂ            上方導光部
７１〜７７      反射板
７４ａ、７４ｂ  反射板
８１、８２      空間
９              部材
【要約】
【課題】建築物の室内に太陽光を自在に取り入れることができ、かつ小型化を図ることができる光照射装置を提供する。
【解決手段】光照射装置１は、住宅１０の外部から太陽光を採光する採光部５１と、採光部５１を介して採光された太陽光を室３１内に放光する放光部６１〜６４と、太陽光を採光部５１から放光部６１〜６４へ導光する導光手段７とを備えている。導光手段７の側方導光部７ａは、内壁部２５１と、内壁部２５１の外面に設けられた反射板７５と、傾斜壁部２２と、断熱材２３を介して傾斜壁部２２の内面に設けられた反射板７２とを有している。傾斜壁部２２は、内壁部２５１との間に、内壁部２５１との間の間隙距離Ｌ、すなわち、反射板７２と反射板７５との間の間隙距離Ｌ０が鉛直方向上側に向かって連続的に漸増する空間８１が形成されるように、鉛直方向に対して傾斜している。
【選択図】図１【図１】
0004129042.tif 000002
【図２】
0004129042.tif 000003
【図３】
0004129042.tif 000004
【図４】
0004129042.tif 000005
【図５】
0004129042.tif 000006